(57)【特許請求の範囲】
【請求項１】
放水口がガスケットと栓体からなる弁体で閉塞される閉鎖型のスプリンクラヘッドにおいて、前記栓体の側壁と前記ガスケットの側壁内面のいずれか一方に環状の凹部を他方に前記凹部に遊嵌される複数の突起を設け、前記栓体と前記ガスケットとを前記凹部に前記複数の突起を遊嵌させて係合させてなることを特徴とするスプリンクラヘッド。
【発明の詳細な説明】
【０００１】
【発明の属する技術分野】
この発明は、消火用のスプリンクラヘッドに関するものである。
【０００２】
【従来の技術】
図２は従来のマルチ型スプリンクラヘッドで、本体１の放水口２は、例えば銅製のキャップ状のガスケット３を介して栓体４で閉塞されている。なお、このガスケット３と栓体４によって、放水口２を閉塞する弁体が構成されている。本体１には側壁に複数の散水口５が設けられたカバー６が螺合されており、その底壁には開口部７が設けられている。栓体４は、開口部７の端縁に一端が係合された一対のレバー８、９によってバランサ１０を介して支持され、レバー８、９の他端は可溶合金１１で接合された一対の熱解離板１２、１３に係合されている。
【０００３】
このスプリンクラヘッドは、火災の熱によって熱解離板１２、１３が加熱されて可溶合金１１が溶融すると、一対のレバー８、９の開口部７端縁を支点とする回転力により一対の熱解離板１２、１３が分離し、熱解離板１２、１３、レバー８、９そしてバランサ１０が分解落下する。これにより栓体４は圧接力がなくなり、栓体４は、放水口２に供給された消火用水の供給圧により、栓体４の下端に接続されたガイド片１４によってガイドされて降下し、その下面が開口部７の端縁上面に着座して降下を停止し、開口部７を閉塞する。
【０００４】
そして放水口２から放水された消火用水は、栓体４に載置されたガスケット３に衝突して四散し更に本体１とカバー６の内壁に衝突し散水口５から周囲に所定の散水パターンで散水される。
【０００５】
【発明が解決しようとする課題】
ところで、スプリンクラヘッドは、長期に渡る監視期間中、ガスケット３はレバー８、９で支持された栓体４によって放水口２の先端に大きい荷重（例えば８０Ｋｇ）の圧接力で押しつけられている。このため、火災時に熱解離板１２、１３、レバー８、９、バランサ１０が分解して栓体４が降下する際に、栓体４に被されたガスケット３は、栓体４と同時に降下せず、栓体４より遅れて降下し、ガスケット３は栓体４に対し斜めになった状態になったり、栓体４からずれてカバー６内に落下したりする可能性がある。
【０００６】
このような事態が生じると、放水口２から放水された消火用水はずれた位置にあるガスケット３により邪魔され、正しい所定の散水パターンが得られなくなる問題がある。
【０００７】
この事態は、ガスケット３を栓体４のコーン１５に密着嵌合する形状とすることで、ある程度解決できる。しかし、このようにすると、ガスケット３に非常に高い工作精度が要求されるとともに、弁体の組立の際に、ガスケット３を栓体４に被せるのに時間がかかる問題がある。
【０００８】
この点は、マルチ型スプリンクラヘッドに限らず、熱解離板、可溶合金をシリンダとピストンで挟んだいわゆる圧縮型、グラスバルブなどの感熱分解機構が分解した際に、放水口を閉塞していた栓体が所定位置まで降下する形式のスプリンクラヘッドに共通する。
【０００９】
この発明は上記の点に鑑み、放水時に、ガスケットが栓体からはずれることのないスプリンクラヘッドを目的とするものである。
【００１０】
【課題を解決するための手段】
このため、本発明のスプリンクラヘッドは、放水口がガスケットと栓体からなる弁体で閉塞される閉鎖型のスプリンクラヘッドにおいて、前記栓体の側壁と前記ガスケットの側壁内面のいずれか一方に環状の凹部を他方に前記凹部に遊嵌される複数の突起を設け、前記栓体と前記ガスケットとを前記凹部に前記複数の突起を遊嵌させて係合させてなることを特徴とするものである。
【００１２】
【発明の実施の形態】
以下、この発明によるスプリンクラヘッドについて、本発明をマルチ型スプリンクラヘッドに適用した場合の１実施形態を図面により説明する。
【００１３】
図１は本発明による弁体の断面図と斜視図で、３０はパッキンとしての例えば銅製のガスケット、４０は栓体である。そして、このガスケット３０と栓体４０からなる弁体は、図２において、ガスケット３と栓体４の代わりに用いられる。
【００１４】
栓体４０には、放水口２内に突出するコーン４１の側壁４２に、凹部の一例としての環状の凹状溝４３が設けらられている。また、栓体４０の下面には、栓体４０の降下時に降下を案内するガイド片１４が爪片４４によって取り付けられている。
【００１５】
また、栓体４０の上面に被せられたガスケット３０には、そのコーン４１を覆う部分の側壁３１に、ガスケット３０を栓体４０に被せたときに凹状溝４３と対向する位置の内周に、凹状溝４３と係合する凸部の一例としての突起３２が一カ所以上設けられている。なお、図１の実施形態の場合は、突起３２は側壁３１に２カ所設けられ、かつ、突起３２は、ガスケット３０を栓体４０に被せた際に、ガスケット３０が栓体４０からはずれることなく栓体４０上で回転するように、凹状溝４３に遊嵌して係合している。
【００１６】
このように構成された弁体を用いたスプリンクラヘッドの組み立て方を図２を参照して説明する。なお、図２において、弁体は、ガスケット３と栓体４からなる弁体の代わりに、図１のガスケット３０と栓体４０からなる弁体を用いる。
【００１７】
まず、ガスケット３０を栓体４０に被せ、ガスケット３０を下方に押し込む。これによりガスケット３０の側壁３１内面に設けられた突起３２は、栓体４０のコーン４１の側壁４２に設けられた環状の凹状溝４３に遊嵌して栓体４０に係合される。
【００１８】
次に、他端が熱解離板１２、１３に係止されたレバー８、９をカバー６の開口部７に挿通して一端をその端縁に係合し、レバー８、９の頭部にバランサ１０を載置する。そして、栓体４０の下面に取り付けられた一対のガイド片１４を開口部７に挿通して、栓体４０の下面に設けた突部４５をバランサ１０の上面に当接させる。
【００１９】
その後、カバー６を本体１に、弁体の放水口２への圧接力が定められた荷重になるまで螺合する。
【００２０】
この際、ガスケット３０の突起３２は栓体４０の環状の凹状溝４３に遊嵌されているため、螺合が進むにつれてガスケット３０は栓体４０上で回転するので、螺合が容易に行える。また、螺合の際に、放水口２のガスケット３０の当接面でガスケット３０に損傷を与えたり、あるいはガスケット３０によって放水口２の当接面に損傷を与えたりすることがなく、高いシール効果を維持することができる。
【００２１】
このように構成されたスプリンクラヘッドは、火災の熱によって可溶合金１１が溶融し、一対のレバー８、９の開口部７端縁を支点とする回転力により一対の熱解離板１２、１３が分離し、熱解離板１２、１３、レバー８、９そしてバランサ１０が分解落下する。これにより栓体４０は圧接力がなくなり、栓体４０は、放水口２に供給された消火用水の供給圧により、栓体４０の下面に取り付けられたガイド片１４によって案内されて降下し、その下面が開口部７の端縁上面に着座して降下を停止し、開口部７を閉塞する。
【００２２】
この際、ガスケット３０は、その突起３２が栓体４０の凹状溝４３に係合しているので、栓体４０と分離することなく一体となって降下する。
【００２３】
そして放水口２から放水された消火用水は、栓体４０に被されたガスケット３０に衝突して四散し更に本体１とカバー６の内壁に衝突し散水口５から周囲に所定の散水パターンで散水される。
【００２４】
ところで、上記の実施形態では、弁体のガスケット３０に突起３２を設け、栓体４０に凹状溝４３を設けるようにしたが、栓体４０に突起を設け、ガスケット３０に栓体４０の突起が係合する凹状溝４３を設けるようにしても良い。
【００２５】
また、上記の各実施形態では、ガスケットまたは栓体に設けた突起すなわち凸部を、栓体またはガスケットに設けた凹状溝すなわち凹部に遊嵌するようにしたが、例えば、凹部を凸部に対応する位置にのみ設ける、あるいは側壁に凹部が設けられた栓体にガスケットを被せた後、ガスケットの凹部に対応する部分を工具で圧接するなどして突部を設けるなどして、凸部と凹部とを密着嵌合させるようにしても良い。このように凸部と凹部とを密着嵌合する場合には、ガイド片１４を栓体４０の下面に爪片４４によって遊嵌合すれば、スプリンクラヘッドの組立の際にガスケットと栓体とが一体に回転するので、ガスケットや放水口の当接面が損傷を受けることがない。
【００２６】
更に、上記各実施形態では、ガスケット３０を栓体４０のコーン部４１全体まで覆う形状としたが、ガスケットを、コーン全体を覆う形状でなく、コーンの側壁のみを覆う形状、すなわち放水口が当接する環状平面部と、コーンの側壁に対向する環状側壁部とからなる形状にしても良い。
【００２７】
なお、上記説明ではマルチ型スプリンクラヘッドに本発明を適用したが、マルチ型スプリンクラヘッドに限らず、熱解離板、可溶合金をシリンダとピストンで挟んだいわゆる圧縮型、グラスバルブなどの感熱分解機構が分解した際に、放水口を閉塞していた栓体が所定位置まで降下するスプリンクラヘッドに本発明を適用できる。
【００２８】
【発明の効果】
この発明によれば、放水口がガスケットと栓体からなる弁体で閉塞される閉鎖型のスプリンクラヘッドにおいて、前記栓体の側壁と前記ガスケットの側壁内面のいずれか一方に環状の凹部を他方に前記凹部に遊嵌される複数の突起を設け、前記栓体と前記ガスケットとを前記凹部に前記複数の突起を遊嵌させて係合させてなるので、火災時に栓体とガスケットが分離することなく一体となって降下することができ、散水パターンが乱されることがない。また、栓体とガスケットとはその一方の凹部と他方の複数の突起によって遊嵌され係合する構造なので、ガスケット全体を栓体に密着させる必要がなくなり、ガスケットに高い工作精度が要求されなくなるとともに、組立に手間がかからず容易となり、かつ、スプリンクラヘッドの組立の際にガスケットが損傷を受けたり放水口のガスケット当接面に損傷を与えたりすることがなく、ガスケットと放水口当接面とのシール効果をより高めることができる。
【図面の簡単な説明】
【図１】本発明によるスプリンクラヘッドの１実施形態の図面で、（１）は弁体の断面図、（２）は弁体の栓体の斜視図、（３）は栓体にガスケットを被せた状態の斜視図。
【図２】スプリンクラヘッドの断面図。
【符号の説明】
２      放水口
３０    ガスケット
３２    凸部の一例としての突起
４０    栓体
４３    凹部の一例としての凹状溝
【図１】
0003651513.tif 000002
【図２】
0003651513.tif 000003